【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
コンテンツを提供する方法であって、
エンゲージメント閾値を決定することと、ここにおいて、前記エンゲージメント閾値は、エンゲージメントベースラインに基づいて導出され、前記エンゲージメントベースラインは、少なくとも、周囲のサウンドレベル、周囲の光レベル、前記コンテンツのタイプに基づいたディストラクション傾向値、または１人以上のユーザプロフィール特性に基づいたディストラクション傾向値のうちの少なくとも１つを含む、１つ以上のエンゲージメント要因に基づいて定められる、
第１の時間に、エンゲージメントレベルを決定することと、前記エンゲージメントレベルは、コンテンツの提示に対するユーザの関心レベルを決定するために使用される１つ以上のメトリックを含む、
前記第１の時間における前記エンゲージメントレベルが前記エンゲージメント閾値未満であると決定することと、
前記第１の時間における前記コンテンツに関連付けられたマーカを記憶装置に記憶することと、
前記第２の時間におけるエンゲージメントレベルを決定することと、
第２の時間における前記エンゲージメントレベルが前記エンゲージメント閾値以上であるかどうかを決定することと
を備える方法。
【請求項２】
前記第２の時間に前記エンゲージメントレベルが前記エンゲージメント閾値以上であるとの前記決定を受けて、前記第１の時間以降の前記コンテンツについての１つ以上の提示オプションを提供すること
をさらに備える、請求項１に記載の方法。
【請求項３】
前記第２の時間は、前記第１の時間から閾値時間期間たっておらず、前記方法は、
前記第２の時間に前記エンゲージメントレベルが前記エンゲージメント閾値以上であるとの前記決定を受けて、前記マーカを前記記憶装置から取り除くこと
をさらに備える、請求項１に記載の方法。
【請求項４】
前記１つ以上の提示オプションは、前記第２の時間に前記エンゲージメントレベルが前記エンゲージメント閾値未満であるとの前記決定を受けて、前記第２の時間以降、少なくとも低下した音量レベルで前記コンテンツを提示するためのオプションを含む、請求項２に記載の方法。
【請求項５】
前記１つ以上の提示オプションは、前記第２の時間に前記エンゲージメントレベルが前記エンゲージメント閾値未満であるとの前記決定を受けて、前記第２の時間以降、クローズドキャプショニングを使用して前記コンテンツを提示するためのオプションを含む、請求項２に記載の方法。
【請求項６】
前記第２の時間におけるノイズレベルがリスニング閾値レベルよりも上であると決定することと、
クローズドキャプショニングを使用して前記コンテンツを提示するためのオプションを提供することと
をさらに備える、請求項１に記載の方法。
【請求項７】
第３の時間における前記ノイズレベルが前記リスニング閾値レベルよりも低いと決定することと、
クローズドキャプショニングを使用した前記コンテンツの提示を止めるためのオプションを前記第３の時間に提供することと
をさらに備える、請求項６に記載の方法。
【請求項８】
前記エンゲージメントレベルは、第１のユーザについて決定され、ここにおいて、前記第１のユーザは、第１のユーザタイプに関連付けられ、前記方法は、
前記第２の時間に第２のユーザが提示環境内にいると決定することと、ここにおいて、前記第２のユーザは、第２のユーザタイプに関連付けられる、
前記第２のユーザが存在しており、前記第２のユーザタイプであるとの前記決定に少なくとも部分的に基づいて、前記第２の時間に前記コンテンツについての１つ以上の提示オプションを変更することと
をさらに備える、請求項１に記載の方法。
【請求項９】
前記変更することは、
前記コンテンツに関連付けられた属性を検出することと、
前記第２のユーザタイプが、前記検出された属性を有する前記コンテンツへのアクセスが制限されているユーザタイプであると決定することと、
前記コンテンツの提示を止めることと
をさらに備える、請求項８に記載の方法。
【請求項１０】
第３の時間に前記第２のユーザが前記提示環境に不在であると決定することと、
前記コンテンツの提示を再開するためのオプションを前記第１のユーザに提供することと
をさらに備える、請求項２０に記載の方法。
【請求項１１】
前記エンゲージメントレベルは、第１のユーザについて決定され、ここにおいて、前記エンゲージメントレベルは、前記第１のユーザに関連付けられた検出された関心レベルにさらに基づき、前記方法は、
前記第１の時間に前記エンゲージメントレベルが前記エンゲージメント閾値未満であるとの前記決定を受けて、前記コンテンツの１つ以上の提示属性を変更すること
をさらに備える、請求項１に記載の方法。
【請求項１２】
通信のための装置であって、
エンゲージメント閾値を決定するための手段と、ここにおいて、前記エンゲージメント閾値は、エンゲージメントベースラインに基づいて導出され、前記エンゲージメントベースラインは、少なくとも、周囲のサウンドレベル、周囲の光レベル、前記コンテンツのタイプに基づいたディストラクション傾向値、または１人以上のユーザプロフィール特性に基づいたディストラクション傾向値のうちの少なくとも１つを含む、１つ以上のエンゲージメント要因に基づいて定められる、
第１の時間に、エンゲージメントレベルを決定するための手段と、前記エンゲージメントレベルは、コンテンツの提示に対するユーザの関心レベルを決定するために使用される１つ以上のメトリックを含む、
前記第１の時間における前記エンゲージメントレベルが前記エンゲージメント閾値未満であると決定するための手段と、
前記第１の時間における前記コンテンツに関連付けられたマーカを記憶装置に記憶するための手段と、
前記第２の時間におけるエンゲージメントレベルを決定するための手段と、
第２の時間における前記エンゲージメントレベルが前記エンゲージメント閾値以上であるかどうかを決定するための手段と
を備える装置。
前記第１の時間における前記エンゲージメントレベルが前記エンゲージメント閾値未満であると決定することと、
前記第１の時間における前記コンテンツに関連付けられたマーカを記憶装置に記憶することと、
前記第２の時間におけるエンゲージメントレベルを決定することと、
第２の時間における前記エンゲージメントレベルが前記エンゲージメント閾値以上であるかどうかを決定することと。
【請求項１３】
コンテンツを提供する方法であって、
第１の時間に、前記第１の時間におけるエンゲージメントレベルがエンゲージメント閾値未満であると決定することと、ここにおいて、前記エンゲージメントレベルは、少なくとも、コンテンツ提供デバイスによるコンテンツの提示に関連付けられた１つ以上のコンテキストアイテムに基づく、
前記コンテンツ提示における小休止を検出するために、前記第１の時間よりも前に小休止閾値時間期間の間前記コンテンツのサウンドプロフィールを分析することと、
前記コンテンツ提示における前記検出された小休止に、前記コンテンツに関連付けられたマーカを記憶装置に記憶することと
第２の時間における前記エンゲージメントレベルが前記エンゲージメント閾値以上であるかどうかを決定することと
を備える方法。
【請求項１４】
通信のための装置であって、
第１の時間に、前記第１の時間におけるエンゲージメントレベルがエンゲージメント閾値未満であると決定するための手段と、ここにおいて、前記エンゲージメントレベルは、少なくとも、コンテンツ提供デバイスによるコンテンツの提示に関連付けられた１つ以上のコンテキストアイテムに基づく、
前記コンテンツ提示における小休止を検出するために、前記第１の時間よりも前に小休止閾値時間期間の間前記コンテンツのサウンドプロフィールを分析するための手段と、
前記コンテンツ提示における前記検出された小休止に、前記コンテンツに関連付けられたマーカを記憶装置に記憶するための手段と
第２の時間における前記エンゲージメントレベルが前記エンゲージメント閾値以上であるかどうかを決定するための手段と
を備える装置。
【請求項１５】
請求項１から請求項１１または請求項１３のうちの１つの方法の全てのステップを実現するようにコンピュータによって実行可能なプログラム命令を備える、コンピュータプログラム。